(57)【要約】【課題】冷凍・空調装置の室外機の運搬を行いやすくする。【解決手段】内部に熱交換器３と前方へ送風する送風機４とを備えた少なくとも二人で持ち上げて運搬可能な室外機本体１と、前記室外機本体１の前後左右四隅の４ヶ所に運搬時手掛け可能な運搬用取手７〜１０と、を設けるとともに、４ヶ所の前記運搬用取手７〜１０の手掛部７ａ〜１０ａを、前記室外機本体１の設置床面から６００ｍｍ以上７００ｍｍ以下の高さに設定した。また、前後それぞれ２ヶ所の前記運搬用取手７〜１０の手掛部７ａ〜１０ａを、前記室外機本体１の設置床面からほぼ同一高さにした。【選択図】　　　　図１
2004085155.tif 000002
【特許請求の範囲】
【請求項１】
内部に熱交換器と前方へ送風する送風機とを備えた少なくとも二人で持ち上げて運搬可能な室外機本体と、前記室外機本体の前後左右四隅の４ヶ所に運搬時手掛け可能な運搬用取手と、を設けるとともに、４ヶ所の前記運搬用取手の手掛部を、前記室外機本体の設置床面から６００ｍｍ以上７００ｍｍ以下の高さに設定したことを特徴とする冷凍・空調装置の室外機。
【請求項２】
前後それぞれ２ヶ所の前記運搬用取手の手掛部を、前記室外機本体の設置床面からほぼ同一高さにしたことを特徴とする請求項１に記載の冷凍・空調装置の室外機。
【請求項３】
４ヶ所の前記運搬用取手の手掛部を、前記室外機本体の設置床面からほぼ同一高さにしたことを特徴とする請求項１または請求項２に記載の冷凍・空調装置の室外機。
【請求項４】
前記室外機本体の前面に前記送風機の送風が吹き出される吹出口グリルを備え、４ヶ所の前記運搬用取手の少なくとも１ヶ所を前記吹出口グリルの上部に一体に形成したことを特徴とする請求項１ないし請求項３のいずれか１項に記載の冷凍・空調装置の室外機。
【請求項５】
前記室外機本体を、上下２個の前記送風機の送風がそれぞれ吹き出される上下２個の吹出口グリルを前面に備えた大形筐体の大形室外機本体とするとともに、４ヶ所の前記運搬用取手の少なくとも１ヶ所を下方の吹出口グリルの上部に一体に形成し、かつ上方の吹出口グリルに、前記下方の吹出口グリルと同一形状の吹出口グリルを使用したことを特徴とする請求項４に記載の冷凍・空調装置の室外機。
【請求項６】
内部に熱交換器と前方へ送風する送風機とを備えた少なくとも二人で持ち上げて運搬可能な室外機本体と、前記室外機本体の前後左右四隅の４ヶ所に運搬時手掛け可能な運搬用取手と、を設けるとともに、前記室外機本体に、上下２個の前記送風機の送風がそれぞれ吹き出される上下２個の吹出口グリルを前面に備えた大形筐体の大形室外機本体と、１個の前記送風機の送風が吹き出される１個の吹出口グリルを前面に備えた中形筐体の中形室外機本体と、の少なくとも２種類の室外機本体を設け、前記大形室外機本体と前記中形室外機本体のそれぞれ４ヶ所の前記運搬用取手の手掛部を、前記大形室外機本体と中形室外機本体それぞれの設置床面から運搬時に手を掛けやすい所定高さ範囲に設定するとともに、前記大形室外機本体の下方の吹出口グリルと前記中形室外機本体の吹出口グリルとに、前記大形室外機本体と前記中形室外機本体のそれぞれ４ヶ所の前記運搬用取手の少なくとも１ヶ所を上部に一体に形成した同一形状の吹出口グリルを使用したことを特徴とする冷凍・空調装置の室外機。
【請求項７】
前記大形室外機本体の下方の吹出口グリルと前記中形室外機本体の吹出口グリルとに、それぞれ４ヶ所の前記運搬用取手の１ヶ所を上部に一体に形成し、前記大形室外機本体に設けた４ヶ所の前記運搬用取手の手掛部を、前記大形室外機本体の設置床面からほぼ同一高さに設定するとともに、前記中形室外機本体に設けた４ヶ所の前記運搬用取手の内、前記吹出口グリルに形成した運搬用取手を除く他の運搬用取手の手掛部３ヶ所を、前記大形室外機本体の前記運搬用取手の手掛部とほぼ同一高さに設定し、かつ前記中形室外機本体の前記吹出口グリルに形成した前記運搬用取手の手掛部を、他の前記運搬用取手の手掛部高さと異ならせて前記中形室外機本体の前記吹出口グリルを配置したことを特徴とする請求項６に記載の冷凍・空調装置の室外機。
【請求項８】
前記大形室外機本体の上方の吹出口グリルに、前記運搬用取手を形成した前記下方の吹出口グリルと同一形状の吹出口グリルを使用したことを特徴とする請求項６または請求項７に記載の冷凍・空調装置の室外機。
【請求項９】
４ヶ所の前記運搬用取手の内、後左右２ヶ所の運搬用取手を、前記室外機本体の後面から所定寸法以上突出させて設けたことを特徴とする請求項１ないし請求項８のいずれか１項に記載の冷凍・空調装置の室外機。
【発明の詳細な説明】
【０００１】
【発明の属する技術分野】
この発明は、空調装置の室外機や冷凍装置の室外機の運搬用取手に関するものである。
【０００２】
【従来の技術】
近年、分離形の空調装置の普及が著しくなっているが、この空調装置の室外機には、設置時や移動時に室外機を運搬するための運搬用取手を設ける必要がある。一人で運搬できるような軽量の室外機では取手２ヶ所、また二人作業になる重量のある室外機では運搬用取手を３ヶ所に設けたものがあった。
【０００３】
図１９は例えば特開平７−３０１４３４号公報に示された従来の空調装置の室外機の斜視図である。一人でも運搬可能な小形のこの種の室外機は本体１０１を構成するパネル１０１ａに運搬用の取手１０７を適当な位置に設置し、運搬上の不都合があれば、その取手１０７位置を変更できる構造にしていた。
【０００４】
図に示すように、室外機本体１０１の前面パネル１０１ｂには固定取手１０８が設けられ、本体１の側板パネル１０１ａに同一形状で複数の熱交換器１０３の給気孔を兼ねた取手勘合孔１０６を設け、取手１０７を取手勘合孔１０６に着脱自在に形成し、いずれかの取手勘合孔１０６を選択して取手１０７を取り付けられるようにして、施工条件の悪い場所に室外機を設置する際や、人それぞれの個人差のある背の高さによって、取手１０７の位置を変えたいときに取手１０７の位置を変えることができるようにしていた。
【０００５】
【発明が解決しようとする課題】
従来の空調装置の室外機は以上のように構成されているので、一人でも運搬可能な小形の室外機では運搬用取手１０７の位置を変えられるようにして運搬を容易にしようとしていたが、取手１０７の付替え作業が簡単なものではなく、また付替えのため取り外しを行いやすくすると、逆に運搬用取手が外れやすくなるという課題もあり具合のよいものではなかった。また、店舗等に設置される大形や中形の室外機は重量があるため、少なくとも二人以上で運搬・設置が行われていて、運搬用取手を室外機本体の前面左右２ヶ所と後面の熱交換器が無い側に１ヶ所の計３ヶ所に設けたものがあったが、この３ヶ所の取手の位置も、製品のデザインや構造的な理由により必ずしも最適な位置とはいえない場所に取り付けられていた。そして、運搬用取手位置が最適でないために無理な姿勢を強いられてバランスを崩すことも往々にしてあり、また室外機の傾きを大きくしたために圧縮機内の油流出や配管折れなど室外機を故障させる可能性があるという課題があった。また、冷凍装置の室外機についても同様の課題があった。
【０００６】
また、室外機をトラック等で輸送する際は、種々の室外機をランダムに並べている場合があり、輸送時の振動で室外機が傾き、室外機本体や梱包材等により隣接した他の室外機のパネルや熱交換器がキズつくという課題もあった。
【０００７】
また、室外機の運搬用取手は運搬時にしか使用しないが、この取手のために室外機のコストが増加するという課題があった。
【０００８】
【発明の目的】
この発明は、上記のような課題を解消するためになされたもので、運搬が行いやすく確実な運搬、安定した運搬をできるようにして、信頼性の高い運搬が行える運搬用取手を備えた冷凍・空調装置の室外機を得ることを目的とする。また、輸送時に隣接する他の室外機同士の接触による破損を防止できる運搬用取手を備えた冷凍・空調装置の室外機を得ることを目的とする。また、安価な運搬用取手を備えた冷凍・空調装置の室外機を得ることを目的とする。
【０００９】
【課題を解決するための手段】
この発明の請求項１に係わる冷凍・空調装置の室外機は、内部に熱交換器と前方へ送風する送風機とを備えた少なくとも二人で持ち上げて運搬可能な室外機本体と、前記室外機本体の前後左右四隅の４ヶ所に運搬時手掛け可能な運搬用取手と、を設けるとともに、４ヶ所の前記運搬用取手の手掛部を、前記室外機本体の設置床面から６００ｍｍ以上７００ｍｍ以下の高さに設定したものである。
【００１０】
この発明の請求項２に係わる冷凍・空調装置の室外機は、前後それぞれ２ヶ所の前記運搬用取手の手掛部を、前記室外機本体の設置床面からほぼ同一高さにしたものである。
【００１１】
この発明の請求項３に係わる冷凍・空調装置の室外機は、４ヶ所の前記運搬用取手の手掛部を、前記室外機本体の設置床面からほぼ同一高さにしたものである。
【００１２】
この発明の請求項４に係わる冷凍・空調装置の室外機は、前記室外機本体の前面に前記送風機の送風が吹き出される吹出口グリルを備え、４ヶ所の前記運搬用取手の少なくとも１ヶ所を前記吹出口グリルの上部に一体に形成したものである。
【００１３】
この発明の請求項５に係わる冷凍・空調装置の室外機は、前記室外機本体を、上下２個の前記送風機の送風がそれぞれ吹き出される上下２個の吹出口グリルを前面に備えた大形筐体の大形室外機本体とするとともに、４ヶ所の前記運搬用取手の少なくとも１ヶ所を下方の吹出口グリルの上部に一体に形成し、かつ上方の吹出口グリルに、前記下方の吹出口グリルと同一形状の吹出口グリルを使用したものである。
【００１４】
この発明の請求項６に係わる冷凍・空調装置の室外機は、内部に熱交換器と前方へ送風する送風機とを備えた少なくとも二人で持ち上げて運搬可能な室外機本体と、前記室外機本体の前後左右四隅の４ヶ所に運搬時手掛け可能な運搬用取手と、を設けるとともに、前記室外機本体に、上下２個の前記送風機の送風がそれぞれ吹き出される上下２個の吹出口グリルを前面に備えた大形筐体の大形室外機本体と、１個の前記送風機の送風が吹き出される１個の吹出口グリルを前面に備えた中形筐体の中形室外機本体と、の少なくとも２種類の室外機本体を設け、前記大形室外機本体と前記中形室外機本体のそれぞれ４ヶ所の前記運搬用取手の手掛部を、前記大形室外機本体と中形室外機本体それぞれの設置床面から運搬時に手を掛けやすい所定高さ範囲に設定するとともに、前記大形室外機本体の下方の吹出口グリルと前記中形室外機本体の吹出口グリルとに、前記大形室外機本体と前記中形室外機本体のそれぞれ４ヶ所の前記運搬用取手の少なくとも１ヶ所を上部に一体に形成した同一形状の吹出口グリルを使用したものである。
【００１５】
この発明の請求項７に係わる冷凍・空調装置の室外機は、前記大形室外機本体の下方の吹出口グリルと前記中形室外機本体の吹出口グリルとに、それぞれ４ヶ所の前記運搬用取手の１ヶ所を上部に一体に形成し、前記大形室外機本体に設けた４ヶ所の前記運搬用取手の手掛部を、前記大形室外機本体の設置床面からほぼ同一高さに設定するとともに、前記中形室外機本体に設けた４ヶ所の前記運搬用取手の内、前記吹出口グリルに形成した運搬用取手を除く他の運搬用取手の手掛部３ヶ所を、前記大形室外機本体の前記運搬用取手の手掛部とほぼ同一高さに設定し、かつ前記中形室外機本体の前記吹出口グリルに形成した前記運搬用取手の手掛部を、他の前記運搬用取手の手掛部高さと異ならせて前記中形室外機本体の前記吹出口グリルを配置したものである。
【００１６】
この発明の請求項８に係わる冷凍・空調装置の室外機は、前記大形室外機本体の上方の吹出口グリルに、前記運搬用取手を形成した前記下方の吹出口グリルと同一形状の吹出口グリルを使用したものである。
【００１７】
この発明の請求項９に係わる冷凍・空調装置の室外機は、４ヶ所の前記運搬用取手の内、後左右２ヶ所の運搬用取手を、前記室外機本体の後面から所定寸法以上突出させて設けたものである。
【００１８】
【発明の実施の形態】
実施の形態１．
図１〜図４はこの発明の実施の形態１の空調装置の室外機を示す図であり、図１は空調装置の室外機の斜視図で、図（ａ）は前面側の斜視図，図（ｂ）は後面側の斜視図である。図２は空調装置の室外機の３面図で、図（ａ）は前面図，図（ｂ）は図（ａ）のＨ−Ｈ線断面図，図（ｃ）は後面図である。図３は空調装置の室外機の運搬状態を説明する説明図である。図４は取手の拡大斜視図である。
【００１９】
この種の室外機本体１は冷凍能力の広範囲の機種に対応できるように多くの機種を備え、筐体の大きさは２〜３種類程度の大きさの種類に集約することが一般的に行われている。例えば冷凍能力の大きい範囲の機種用に上下２個の送風機を備えた大形筐体の大形室外機本体の種類と、熱交換器の高さ寸法が低く従って送風機を１個にして筐体の高さ寸法を低くし、大形室外機本体より冷凍能力の低い範囲の機種に対応する背の低い中形筐体の中形室外機本体を設ける場合がある。まずこの実施の形態１では大形室外機本体の場合について説明する。
【００２０】
図１，図２において、１は空調装置（空気調和機）の室外機本体で、外郭を前面左側パネル１ａ、前面右側パネル１ｂ、後面左側パネル１ｃ、後面右側パネル１ｄなどから構成している。また、１ｆは室外機本体１の足部である。２は室外機本体１右側の機械室１ｅに配置した圧縮機で、空調装置の冷媒サイクル（図示せず）の冷媒を圧縮する。３は熱交換器で、後面左側パネル１ｃに沿って室外機本体１内の左後方に設けられ、配管（図示せず）で圧縮機２に接続されている。
【００２１】
４は空気を搬送する回転物の送風機で、熱交換器３の前方に設けられ、この実施の形態では上下２段に設け、室外機本体１の前方へ送風を吹き出している。５はこの上下２個の送風機４にそれぞれ対応して室外機本体１の前面に設置した上下の吹出口グリルで、送風機４の送風が吹き出されるように、また、使用者が触れないように格子状に形成している。６は室外機本体１の後面側及び左側面側（図示せず）に開設した複数の吸気穴で、主に後面側に設けられ、熱交換器３と熱交換させる外気を吸い込む穴である。
【００２２】
そして、圧縮機２で圧縮された冷媒は熱交換器３にて、送風機４が回転して室外機本体１の主に後面の吸気穴６から吸い込まれて流れる空気と熱交換し、室内機（図示せず）側へと供給される。また、熱交換器３で熱交換された空気は、吹出口グリル５を通って室外機本体１の前面側から再び外へ吹き出される。
【００２３】
次に運搬用の取手について説明する。室外機本体１は重量物であるため、運搬する場合は少なくとも二人作業となる。７〜１０は室外機本体１の前後左右四隅の４ヶ所に設けた運搬用取手（以下運搬用取手又は取手と称す）で、室外機本体１の設置や移設時に図３に示すように２人の運搬者１１が室外機本体１の左右から運搬のために手を掛ける部分であり、この実施の形態１では室外機本体１の前後面の左右両端部に設け、一人は、前面左側の前面左側パネル１ａの取手７を右手に、後面左側の後面左側パネル１ｃの取手９を左手に掛け、二人目は、前面右側の前面右側パネル１ｂの取手８を左手に、後面右側の後面右側パネル１ｄの取手１０を右手にそれぞれ掛けて室外機本体１を持ち上げる。
【００２４】
この取手７〜１０の配置高さは、室外機本体１の設置床面から取手７〜１０の手掛部７ａ〜１０ａまでの高さ（図１のＡ〜Ｄ寸法）が運搬時に運搬者１１が手を掛けやすく持ち上げやすい６００ｍｍ以上で７００ｍｍ以下になるように設定している。そして、この実施の形態１では全ての手掛部７ａ〜１０ａの高さを設置床面から６５０ｍｍのほぼ同じ高さにしている。また、この実施の形態１では一例であるが室外機本体１の外形寸法を、図１及び図２のＥ〜Ｇに示すように、高さ寸法Ｅを１３５０ｍｍ，幅寸法Ｆを９５０ｍｍ，奥行寸法Ｇを３３０ｍｍの大きさとした。
【００２５】
次に取手７〜１０の詳細な構成の一例を説明する。図４は取手の拡大斜視図である。取手７〜１０は樹脂等により形成され、運搬者１１の手の指先が掛かりやすいように入り口部分の手掛部７ａ〜１０ａから指先挿入部７ｂ〜１０ｂをさらに内部に入り込むように形成し、運搬者１１が掴み易いようにしている。そして、この樹脂製の取手７〜１０を室外機本体１の前後左右の４ヶ所に取手７〜１０に一体に形成した係止爪（図示せず）等で各パネル１ａ，１ｂ，１ｃ，１ｄに穴を設けて勘合させ、容易には外れないように固定している。
【００２６】
なお、手掛部７ａ〜１０ａの高さとは、運搬者１１が手を掛けた際に各指の根元付近で手の平から各指にかけて特に過重を強く受ける部分であり、この実施の形態１では取手７〜１０の入り口部分の高さから指先挿入部７ｂ〜１０ｂが上方にそのまま入り込むようにしているので取手７〜１０入り口部分の上端部分の内側が手掛部７ａ〜１０ａの高さとなる。また、例えば、取手７〜１０が一旦入り口部分から上端内側が奥側斜め下方に下がり再び奥側斜め上方に上がるように指先挿入部７ｂ〜１０ｂを入り込むように形成するのであれば、上端内側が下がり再び上方に上がる部分が手掛部７ａ〜１０ａの高さとなる。また、取手７〜１０の入り口部分は、手を掛けるため幅８０ｍｍ，高さ３０ｍｍ程度の寸法が必要であり、また、なめらかに形成して手が痛くならないように配慮している。
【００２７】
このように、少なくとも２人の運搬者１１で持上げて、運搬可能な室外機本体１の取手７〜１０を前後左右四隅の４ヶ所に設け、室外機本体１の設置床面から取手７〜１０の手掛部７ａ〜１０ａまでの高さ（図１のＡ〜Ｄ寸法）を、運搬者１１が運搬時に手を掛けやすい所定高さ範囲の６００ｍｍ以上で７００ｍｍ以下になるように設定すると、室外機本体１を２人で運搬する際、運搬者１１の背筋が曲がらずに、また腕が調度伸びた過重を受けやい状態で室外機本体１を持ち上げることができ、また、この実施の形態では、ほぼ同じ高さの位置に取手７〜１０の手掛部７ａ〜１０ａがあるので、室外機本体１を持ち上げた際、室外機本体１が左右に傾くことがなく、運搬しやすいとともに、室外機本体１が傾いて圧縮機１の油が洩れたり、配管が折れる等の故障を起こすことも防止される。
【００２８】
つまり、運搬用取手７〜１０の手掛部７ａ〜１０ａを、室外機本体１の設置床面から、運搬者１１が運搬時に手を掛けやすい所定高さ範囲の６００ｍｍ以上で７００ｍｍ以下になるように設定するとともに、運搬者１１が両手でしっかりと持ち上げられるように運搬用取手７〜１０を４ヶ所に設けているため、確実な運搬と安定した運搬ができ、信頼性の高い運搬が行える。また、取手７〜１０の位置も分かりやすいため、誰でも室外機本体１を見ただけで、簡単に運搬方法を理解して運べる取扱いの容易な室外機本体１を得られる効果がある。
【００２９】
次に、室外機本体１の設置床面から取手７〜１０の手掛部７ａ〜１０ａまでの高さ（図１のＡ〜Ｄ寸法）が６００ｍｍ以上で７００ｍｍ以下になるように設定すると２人での運搬作業が行いやすくなる点について詳細に説明する。図５は人の身長と地上からの手の高さを示す説明図で、図５（ａ）は人の側面図，図５（ｂ）は身長と地上からの手の高さを調査した例であり、説明のため６名分を記載した。図５（ａ）に示すようにＪ寸法は身長であり、Ｋ寸法は起立し、２ｃｍの高さ（厚さ）の靴を履いた人の地上から指先までの高さを示している。そして、身長とその人が２ｃｍ高さの靴を履いた状態で地上からの手の指先までの高さを測定した。ア者〜カ者の６名分について測定した結果、図５（ｂ）に示すように、ア者は身長１８０ｃｍで手の高さは７２ｃｍ、イ者は身長１７０ｃｍで手の高さは７０ｃｍ、ウ者は身長１５９ｃｍで手の高さは６５ｃｍ、エ者は身長１６５ｃｍで手の高さは６２ｃｍ、オ者は身長１７３ｃｍで手の高さは７０ｃｍ、カ者は身長１６６ｃｍで手の高さは６５ｃｍであった。
【００３０】
そして、身長の一番高い人ア者の身長１８０ｃｍから身長の一番低い人ウ者の身長１５９ｃｍとの身長差は２１ｃｍであり、身長は千差万別で個人差が大きいことが分かる。なお、このア者〜カ者６名の平均身長は１６８．８ｃｍであり、日本人男性３０歳〜４９歳の平均身長が１６９．１ｃｍであることから、測定したア者〜カ者の平均身長と日本人男性の平均身長差は０．３ｃｍ（１６８．８ｃｍ−１６９．１ｃｍ）しか違わず、ア者〜カ者６名の体形が偏っていないことがわかる。
【００３１】
次いで、ア者〜カ者が高さ２ｃｍの靴を履いた時の地上から手の指先までの高さの最長はア者７２ｃｍに対し、最短はエ者６２ｃｍで、地上から手の指先までの高さの最大差は１０ｃｍしかないことがわかり、最大身長差２１ｃｍに対し、手の高さの最大差はわずかに１０ｃｍ程度しかないことを発見した。これは身長が伸びるとともに通常は腕の長さも長くなり、身長が上に伸びるのに対し、地上からの手の高さは相反して腕の長さが伸びて逆に低くなる方向になるためであり、身長差に比べ地上からの手の高さの個人差が小さくなることを発見した。
【００３２】
そして、空調装置の室外機本体１のような重量物を２人で手を掛けて持上げて運搬する場合、この地上からの手の高さに合わせて取手７〜１０の高さを設定することが重要になるが、上記のように、身長の個人差に比べ、地上からの手の高さの個人差はわずかに１０ｃｍ（１００ｍｍ）程度のため、最適な取手７〜１０の高さを設定すれば殆どの人に対して運搬しやすい取手７〜１０の位置を提供できることに想到した。
【００３３】
次に、室外機本体１の最適な取手位置の高さを決めるための測定例について説明する。図６は送風機を２個使用の空調装置の大形室外機本体の最適取手位置の調査要領説明図で、図６（ａ）は室外機本体の正面図、図６（ｂ）はア者〜カ者の調査結果の説明図で、６名が取手位置を変えて運搬した際の調査結果である。図６（ａ）のように図１〜図２と同様な実施の形態１の構成の大形室外機本体１について取手７〜１０の４個の高さ位置を同時に変えて調査したもので、取手７〜１０の手掛部７ａ〜１０ａの室外機本体１の設置床面からの高さを運搬作業が比較的容易に行える高さの５段階に変えてそれぞれ調査した。
【００３４】
取手７〜１０の手掛部７ａ〜１０ａの高さをＬ２調査では５５０ｍｍ、Ｌ３調査では６００ｍｍ、Ｌ４調査では６５０ｍｍ、Ｌ５調査では７００ｍｍ、Ｌ６調査では７５０ｍｍに変更した場合を調査し、それぞれ運搬時に想定される３ケースの場合について調査した。ケース１「持上げ性」は、その場で室外機本体１を持上げた場合の持上げやすさの感触の評価である。ケース２「平面運搬性」は、平らな場所で運搬した際の運搬のしやすさの感触の評価である。また、ケース３「架台載せ性」は、室外機本体１を設置する場合に地面から１２ｃｍ程度の高さのコンクリートブロック等の台（図示せず）等に載せて設置される場合を想定し、１２ｃｍの台の上に乗せた時の乗せやすさの感触を評価した。また感触の評価をポイントで表すことにし、それぞれのケース１〜３の作業で、作業が行いやすく良好は２ポイント、普通に作業ができれば１ポイント、作業可能だが少し行い難いを０ポイントとして評価し、ポイント数合計が多ければ運搬作業が行いやすいという結果を得られるようにした。
【００３５】
この結果、ケース１「持上げ性」では調査Ｌ４の取手の手掛部高さ位置６５０ｍｍと調査Ｌ５の７００ｍｍ位置がそれぞれ９ポイントで１番良いという結果になり、また、ケース２「平面運搬性」では調査Ｌ５の高さ位置７００ｍｍが１１ポイントで１番良く、また、ケース３「架台載せ性」では調査Ｌ４の高さ位置６５０ｍｍが９ポイントで一番良い結果となり、総合計ポイントでは一位が２５ポイントで調査Ｌ４の取手の手掛部高さ位置６５０ｍｍ、二位が２３ポイントで調査Ｌ５の取手の手掛部高さ位置７００ｍｍ、三位が１２ポイントで調査Ｌ３の取手の手掛部高さ位置６００ｍｍであり、この種の空調装置の室外機本体１の取手７〜１０の手掛部７ａ〜１０ａの高さ位置（運搬時に手をかけやすい高さ位置）としては、室外機本体１の設置床面から６５０ｍｍの高さが一番良く、また、６００ｍｍ以上７００ｍｍ以下の範囲（運搬時に手を掛けやすい所定高さ範囲）の位置であれば運搬者１１が手を掛けやすく、運搬作業が行いやすいといことが得られた。
【００３６】
なお、４ヶ所の取手７〜１０の室外機本体１に対する左右方向の位置はなるべく左右両端に近い位置がよいが、極端に内側の位置でなければ運搬作業にはさほど支障がないことがわかった。
【００３７】
実施の形態２．
上記実施の形態１では、送風機４を上下に２個設けた背高の大形室外機本体１について示したが、この実施の形態２では熱交換機３の高さ寸法が低く、従って送風機４を１個にして筐体の高さ寸法低くし、大形室外機本体１より冷凍能力の低い範囲の機種に対応する背の低い中形筐体の中形室外機本体１を設ける場合について説明する。なお、背の低い筐体の中形室外機本体とは言っても実施の形態１の大形室外機本体より軽いが同様に例えば５０Ｋｇ程度の重量物のものも有り、同様に２人以上で運搬を行う。
【００３８】
図７はこの発明の実施の形態２の空調装置の室外機の３面図で、（ａ）は前面図，（ｂ）は図（ａ）のＭ−Ｍ線断面図，図（ｃ）は後面図である。図において実施の形態１と同一又は相当部分は同一符号を付し、詳細な説明は省略する。また、記載以外の構造と動作は上記実施の形態１と同一である。１は空調装置の室外機本体（中形室外機本体）で、外郭を前面左側パネル１ａ、前面右側パネル１ｂ、後面左側パネル１ｃ、後面右側パネル１ｄなどから構成している。また、１ｆは室外機本体１の足部である。２は室外機本体１右側の機械室１ｅに配置した圧縮機で、空調装置の冷媒サイクル（図示せず）の冷媒を圧縮する。３は熱交換器で、後面左側パネル１ｃに沿って室外機本体１内の左後方に設けられ、配管（図示せず）で圧縮機２に接続されている。
【００３９】
４は空気を搬送する回転物の送風機で、熱交換器３の前方に設けられ、この実施の形態の室外機本体１（中形室外機本体）では１個設け、室外機本体１の前方へ送風している。５はこの１個の送風機４に対応して室外機本体１の前面に設置した吹出口グリルで、送風機４の送風が吹き出されるように、また使用者が触れないように格子状に形成している。６は室外機本体１の後面側及び左側面側（図示せず）に開設した複数の吸気穴で、主に後面側に設けられ、熱交換器３と熱交換させる外気を吸い込む穴である。
【００４０】
そして、圧縮機２で圧縮された冷媒は熱交換器３にて、送風機４が回転して室外機本体１の主に後面側の吸気穴６から吸い込まれて流れる空気と熱交換し、室内機（図示せず）側へと供給される。また、熱交換器３で熱交換された空気は、吹出口グリル５を通って室外機本体１の前面側から再び外へ吹き出される。
【００４１】
次に運搬用の取手について説明する。室外機本体１は重量物であるため、運搬する場合は少なくとも二人作業となる。７〜１０は室外機本体１の前後左右四隅の４ヶ所に設けた運搬用取手で、室外機本体１の設置や移設時には上記実施の形態１と同様に２人の運搬者１１が室外機本体１の左右から運搬のために手を掛ける部分であり、この実施の形態では室外機本体１の前後面の左右両端部に設け、一人は、前面左側の前面左側パネル１ａの取手７を右手に、後面左側の後面左側パネル１ｃの取手９を左手に掛け、二人目は、前面右側の前面右側パネル１ｂの取手８を左手に、後面右側の後面右側パネル１ｄの取手１０を右手にそれぞれ掛けて室外機本体１（中形室外機本体）を持ち上げる。
【００４２】
この取手７〜１０の配置高さは、室外機本体１の設置床面から取手７〜１０の手掛部７ａ〜１０ａまでの高さ（図７のＡ〜Ｄ寸法）が運搬時に手を掛けやすく持ち上げやすい高さの範囲になるように、６００ｍｍ以上で７００ｍｍ以下になるように設定しいる。そして、この実施の形態では全ての手掛部７ａ〜１０ａの高さを設置床面から６５０ｍｍのほぼ同じ高さにしている。また、この実施の形態２では一例であるが室外機本体１（中形室外機本体）の外形寸法を、図７のＥ〜Ｇに示すように、高さ寸法Ｅを９５０ｍｍ，幅寸法Ｆを９５０ｍｍ，奥行寸法Ｇを３３０ｍｍの大きさとした。即ち、この実施の形態２の室外機本体１は、実施の形態１の室外機本体１（大形室外機本体）に対し、幅寸法Ｆ及び奥行き寸法Ｇは同じで、高さ寸法Ｅが異なって低く、送風機４及び吹出口グリル５が１個になっているだけであり、送風機４や吹出口グリル５等は同一のものが使用できるなど、シリーズとしての統一観があるとともに、部品の共用化でコストを削減できるようにしている。また、取手７〜１０の構造の詳細は上記実施形態１の説明及び図４と同様であり、詳細な説明は省略する。
【００４３】
このように実施の形態１と同様、少なくとも２人の運搬者１１で持上げて、運搬可能な室外機本体１の取手７〜１０を前後左右四隅の４ヶ所に設け、室外機本体１の設置床面から取手７〜１０の手掛部７ａ〜１０ａまでの高さ（図７のＡ〜Ｄ寸法）が６００ｍｍ以上で７００ｍｍ以下（運搬時に手を掛けやすい所定高さ範囲）になるように設定すると、室外機本体１を２人で運搬する際、運搬者１１の背筋が曲がらずに、また腕が調度伸びた過重を受けやい状態で室外機本体１を持ち上げることができ、また、この実施の形態では、ほぼ同じ高さの位置に取手７〜１０の手掛部７ａ〜１０ａがあるので、室外機本体１を持ち上げた際、室外機本体１が左右に傾くことがなく、運搬しやすいとともに、室外機本体１が傾いて圧縮機１の油が洩れたり、配管が折れる等の故障を起こすことも防止される。
【００４４】
つまり、上記実施の形態１と同様に運搬用取手７〜１０の手掛部７ａ〜１０ａを、室外機本体１の設置床面から、運搬者１１が運搬時に手を掛けやすい所定高さ範囲の６００ｍｍ以上で７００ｍｍ以下になるように設定するとともに、運搬者１１が両手でしっかりと持ち上げられるように運搬用取手７〜１０を４ヶ所に設けているため、確実な運搬と安定した運搬ができ、信頼性の高い運搬が行える。また、取手７〜１０の位置も分かりやすいため、誰でも室外機本体１を見ただけで、簡単に運搬方法を理解して運べる取扱いの容易な室外機本体１を得られる効果がある。
【００４５】
次に、この実施の形態２の送風機４が１個の場合の中形室外機本体１の最適な取手位置の高さを決めるため、実施の形態１と同様に測定した例について説明する。図８は送風機を１個使用の空調装置の室外機の最適取手位置の調査要領説明図で、図（ａ）は室外機本体の正面図、図（ｂ）はア者〜カ者の調査結果の説明図で、６名が取手位置を変えて運搬した際の調査結果である。図８（ａ）のように図７と同様な構成の室外機本体１（中形室外機本体）について取手７〜１０の４個の高さ位置を同時に変えて調査したもので、取手７〜１０の手掛部７ａ〜１０ａの室外機本体１の設置床面からの高さを運搬作業が比較的容易に行える高さの６段階に変えてそれぞれ調査した。
【００４６】
取手７〜１０の手掛部７ａ〜１０ａの高さをＮ１調査では５００ｍｍ、Ｎ２調査では５５０ｍｍ、Ｎ３調査では６００ｍｍ、Ｎ４調査では６５０ｍｍ、Ｎ５調査では７００ｍｍ、Ｌ６調査では７５０ｍｍの場合を調査し、運搬時を想定して、それぞれ３ケースの場合について調査した。ケース１「持上げ性」は、その場で室外機本体１を持上げた場合の持上げやすさの感触の評価である。ケース２「平面運搬性」は、平らな場所で運搬した際の運搬のしやすさの感触の評価である。また、ケース３「架台載せ性」は、室外機本体１を設置する場合に地面から１２ｃｍ程度の高さのコンクリートブロック等の台（図示せず）等に載せて設置される場合を想定し、１２ｃｍの台の上に乗せた時の乗せやすさの感触を評価した。また感触の評価はポイントで表すことにし、それぞれのケース１〜３の作業で、作業が行いやすく良好は２ポイント、普通に作業できれば１ポイント、作業可能だが少し行い難いを０ポイントとして評価し、ポイント数合計が多ければ運搬作業が行いやすいという結果を得られるようにした。
【００４７】
この結果、ケース１「持上げ性」では調査Ｎ３の取手の手掛部高さ位置６００ｍｍの位置が１０ポイントで１番良いという結果になり、また、ケース２「平面運搬性」では調査Ｎ４の高さ位置６５０ｍｍが１０ポイントで１番良く、また、ケース３「架台載せ性」でも調査Ｎ４の高さ位置６５０ｍｍが９ポイントで一番良いとなり、総合計ポイントでは一位が２８ポイントで調査Ｎ４の取手の手掛部高さ位置６５０ｍｍ、二位が２６ポイントで調査Ｎ３の取手の手掛部高さ位置６００ｍｍ、三位が２１ポイントで調査Ｎ２の取手の手掛部高さ位置５５０ｍｍ、四位が１８ポイントで調査Ｎ５の取手の手掛部高さ位置７００ｍｍであり、この種の空調装置の室外機本体１（中形室外機本体）の取手７〜１０の手掛部７ａ〜１０ａの運搬時に手を掛けやすい高さ位置としては実施の形態１と同様に設置床面から６５０ｍｍの高さが一番よく、また５５０ｍｍ以上７００ｍｍ以下の位置であれば運搬作業が行いやすいということが得られた。
【００４８】
図９は運搬しやすい運搬用取手の高さ位置の説明図であり、それぞれ実施の形態１の図６（ｂ）調査Ｌ２〜調査Ｌ６及びこの実施の形態２の図８（ｂ）調査Ｎ２〜調査Ｎ６のそれぞれ取手７〜１０の高さ位置が同じ時の総合計ポイントをさらに合計したものである。このようにすると、最適な取手７〜１０の手掛部７ａ〜１０ａの高さ位置が求められるわけであり、総合一位は合計５３ポイントで当然ながら調査Ｌ４＋調査Ｎ４の取手の手掛部高さ位置６５０ｍｍ、総合二位は合計４１ポイントで調査Ｌ５＋調査Ｎ５の取手の手掛部高さ位置７００ｍｍ、総合三位は合計３８ポイントで調査Ｌ３＋調査Ｎ３の取手の手掛部高さ位置６００ｍｍ、総合四位は合計２５ポイントで調査Ｌ２＋調査Ｎ２の取手の手掛部高さ位置５５０ｍｍ、総合五位は合計１３ポイントで調査Ｌ６＋調査Ｎ６の取手の手掛部高さ位置７５０ｍｍとなり、１位から３位の６００ｍｍ〜７００ｍｍのポイントが他に比べて比較的に高いことがわかる。
【００４９】
このようにこの種の少なくとも２人で持ち運ぶ室外機本体１（実施の形態１の大形室外機本体及び実施の形態２の中形室外機本体）で運搬作業が行いやすい取手７〜１０の手掛部７ａ〜１０ａの室外機本体１の設置床面からの高さは、最適値が６５０ｍｍで、１位から３位の６００ｍｍ以上７００ｍｍ以下の範囲（運搬時に手を掛けやすい所定高さ範囲）であれば極めて運搬作業が行いやすいことが判った。
【００５０】
なお、この６５０ｍｍ付近の高さが最適値であるのは、図５（ｂ）で手の高さ（Ｋ寸法）で示したア〜カ者平均が６７．３ｃｍ（６７３ｍｍ）で実際に取手７〜１０の手掛部７ａ〜１０ａに手を掛ける部分は指の根元付近で指先よりさらに９ｃｍ（９０ｍｍ）程度高い位置の７６３ｍｍ（６７３ｍｍ＋９０ｍｍ）程度の位置で、平均的な運搬者１１が荷重を支えやすい状態、つまり背筋や腰を曲げずに腕を伸ばした状態に取手７〜１０に手を掛けて室外機本体１を持ち上げたとした場合、計算上、地面から室外機本体１が１１３ｍｍ程度浮く（手の位置７６３ｍｍ−手掛部高さ６５０ｍｍ）ことになり、運搬作業が行いやすい高さになる。
【００５１】
従って、内部に熱交換器３と前方へ送風する送風機４とを備えた少なくとも二人で持ち上げて運搬可能な室外機本体１と、室外機本体１の前後左右四隅の４ヶ所に運搬時手掛け可能な運搬用取手７〜１０と、を設けるとともに、４ヶ所の前記運搬用取手７〜１０の手掛部７ａ〜１０ａを、室外機本体１の設置床面から６００ｍｍ以上７００ｍｍ以下の高さに設定したので、運搬用取手７〜１０が運搬時に手を掛けやすくバランスの良い所定高さ範囲に有り、また、運搬者１１が両手でしっかりと持ち上げられるように運搬用取手７〜１０を４ヶ所に設けているため、確実な運搬と安定した運搬ができ、信頼性の高い運搬が行える。また、取手７〜１０の位置も分かりやすいため、誰でも室外機本体１を見ただけで、簡単に運搬方法を理解して運べる取扱いの容易な室外機本体１を得られる効果がある。
【００５２】
なお、手を掛けやすい所定高さ範囲を、室外機本体１の設置床面から６００ｍｍ以上７００ｍｍ以下と説明したが、数ミリ程度この範囲から外れたとしても極端に運搬性が劣るようになるわけではないため、数ミリの範囲は誤差の範囲であり、手を掛けやすい所定高さ範囲に含まれる。
【００５３】
また上記実施の形態１〜２では４ヶ所の運搬用取手７〜１０の手掛部７ａ〜１０ａを、室外機本体１の設置床面からほぼ同一高さにしたので、運搬時のバランスがさらによく、運搬しやすい室外機本体１を得られる効果がある。また、取手７〜１０の高さ位置がほぼ同じで見栄えのよいものが得られる。
【００５４】
実施の形態３．
図１０はこの発明の実施の形態３の空調装置の室外機を示す前面図及び後面図で、（ａ）は前面図，（ｂ）は後面図である。なお、実施の形態１と同一又は相当部分には同一符号を付し、詳細な説明は省略する。また、記載以外の構造と動作は上記実施の形態１と同一である。実施の形態１では大形室外機本体１の４ヶ所の取手７〜１０の手掛部７ａ〜１０ａの設置床面からの高さを、運搬時に手を掛けやすい所定高さ範囲として６００ｍｍ以上７００ｍｍ以下の高さの範囲でほぼ同一高さに設け、室外機本体１を持上げた際に室外機本体１の左右のバランスがよいものを示したが、取手７〜１０の左右の位置が６００ｍｍ以上７００ｍｍ以下の範囲で異なってもよい。この実施の形態では図１０に示すように室外機本体１（大形室外機本体）前面左側の取手７の手掛部７ａの高さ寸法Ａと後面左側の取手９の手掛部９ａの高さ寸法Ｃを同じ高さ位置にして例えば７００ｍｍの高さにし、室外機本体１前面右側の取手８の手掛部８ａの高さ寸法Ｂと後面右側の取手１０の手掛部１０ａの高さ寸法Ｄを同じ高さ位置で取手７，９よりは低い例えば６００ｍｍの高さにし、取手７〜１０の高さを室外機本体１の左右で変えてもよい。
【００５５】
このようにしても上記実施の形態１と同様に運搬者１１が室外機本体１の運搬作業を行いやすい高さであり、確実な運搬と安定した運搬ができ、信頼性の高い運搬が行える。また、取手７〜１０の位置も分かりやすいため、誰でも室外機本体１を見ただけで、簡単に運搬方法を理解して運べる取扱いの容易な室外機本体１を得られる効果がある。また、室外機本体１左側の前後及び右側の前後では取手７〜１０の手掛部７ａ〜１０ａの高さを変えていないので、運搬者１１の手を掛ける取手７〜１０の高さ位置は両腕で同じのため、上記実施の形態１と同様にバランスが良く運搬しやすいものが得られる。なお、室外機本体１の左側の取手７，９と右側の取手８，１０の高さは最大で１００ｍｍ異なることになり、室外機本体１を持上げた際に室外機本体１の左右で若干高さが異なることになるが、この程度の高さの差は特に運搬に影響なく、また、圧縮機２内の油流出や配管折れなどの故障が起こらないことが確認できた。
【００５６】
つまり、前後それぞれ２ヶ所の運搬用取手７〜１０の手掛部７ａ〜１０ａを、室外機本体１の設置床面からほぼ同一高さにしたので、各運搬者１１の手を掛ける取手７〜１０の高さ位置が各運搬者の両腕で同じになり、バランスが良く運搬しやすいものが得られる効果がある。
【００５７】
実施の形態４．
図１１，図１２はこの発明の実施の形態４の空調装置の室外機を示す図であり、図１１は空調装置の室外機の前面図及び後面図で、図（ａ）は前面図，図（ｂ）は後面図である。図１２は図１１に使用する吹出口グリルの図で、図（ａ）は斜視図，図（ｂ）は図（ａ）のＰ−Ｐ線断面図である。なお、実施の形態１，３と同一又は相当部分には同一符号を付し、詳細な説明は省略する。また、記載以外の構造と動作は上記実施の形態１，３と同一である。実施の形態１，３の大形室外機本体１の例では別部品の取手７を左前面パネル１ａに勘合固定したものを示したが、別部品の取手７を設けずに、室外機本体１の前面に設けた吹出口グリルに取手を一体に形成してもよい。
【００５８】
この実施の形態では図１１に示すように、１５は上下２個の送風機４にそれぞれ対応して室外機本体１の前面にネジ締結（図示せず）等により固定設置した上下の吹出口グリルで、樹脂材料等により形成し、送風機４の送風が吹き出され、また、使用者が触れないように格子状に形成されている。また、この吹出口グリル１５の詳細な構造を図１２について説明する。１５ａは吹出口グリル１５の上部に一体に形成した取手で、室外機本体１を運搬する際に運搬者１１が手を掛ける部分である。そして、運搬者１１の手の指先が掛かりやすいように入り口部分の手掛部１５ｂから指先挿入部１５ｃをさらに内部に入り込むように形成し、運搬者１１が掴み易いようにしている。また、１５ｄは吹出グリル１５の格子を形成する複数の縦リブで、この各縦リブ１５ｄは各縦リブ１５ｄの左右間を複数の横リブ１５ｅで連結されている。
【００５９】
そして、このように取手１５ａを左上部に一体に形成した吹出口グリル１５を下側の送風機４に対応して設け、この取手１５ａの手掛部１５ｂの室外機本体１の設置する床面からの高さ（図１１のＡ寸法）を上記実施の形態１，３と同様に６００ｍｍ以上〜７００ｍｍ以下（運搬時に手を掛けやすい所定高さ）の高さ位置にする。この実施の形態ではこの取手１５ａの手掛部１５ｂの高さを例えば６２０ｍｍにし、また、他の３ヶ所の取手８〜１０も同一高さ（図１１のＢ〜Ｄ寸法）にして、運搬者１１が運搬作業が行いやすいようにしている。また、４ヶ所の取手１５ａ，８〜１０が同一高さのため見栄えもよく、上記実施の形態１と同様に、確実な運搬と安定した運搬ができ、信頼性の高い運搬が行える。また、取手１５ａ，８〜１０の位置も分かりやすいため、誰でも室外機本体１を見ただけで、簡単に運搬方法を理解して運べる取扱いの容易な室外機本体１を得られる効果があり、また、取手１５ａを吹出口グリル１５に一体に形成しているので、安価に取手１５ａを得られる。
【００６０】
なお、この種の室外機本体１では通常圧縮機２を配置した室外機本体１の右側が重く、この右側に比べて吹出口グリル１５を設置した機送風機４を配置する左側は軽くなるため、取手１５ａを吹出口グリル１５に一体に形成しても特別にグリルを強固に形成するなどの必要性が少ない。
【００６１】
このように、室外機本体１の前面に送風機４の送風が吹き出される吹出口グリル１５を備え、４ヶ所の運搬用取手の少なくとも１ヶ所１５ａを前記吹出口グリル１５の上部に一体に形成したので、取手１５ａを別部品で設ける必要がなく、運搬しやすい位置の取手を安価に得られる効果がある。
【００６２】
また、この実施の形態では送風機４を２個備えるタイプのため、吹出口グリル１５も２個必要になり、上にも下側と同一の吹出口グリル１５を同様に配置して、吹出口グリル１５を共用化し、さらに安価にしている。また、下側の吹出口グリル１５の上部の取手１５ａは上記のとおり運搬時に他の取手８〜１０と共に、運搬者１１が手を掛けて使用するのであるが、上側の吹出口グリル１５の左上部の取手１５ａは室外機本体１を持ち上げるためには使用しないが、例えば室外機本体１を設置する床面等に置き、位置の備調整で室外機本体１の左側上部を手で押さえて僅かに位置をずらす際に、調度運搬者１１の目の高さ付近の位置で手を掛け、微調整を行いやすくできるという使い勝手のよい効果もある。
【００６３】
このように、室外機本体１を、上下２個の送風機４の送風がそれぞれ吹き出される上下２個の吹出口グリル１５を前面に備えた大形筐体の大形室外機本体１とするとともに、４ヶ所の運搬用取手の少なくとも１箇所１５ａを下方の吹出口グリル１５の上部に一体に形成し、かつ上方の吹出口グリル１５に、下方の吹出口グリル１５と同一形状の吹出口グリル１５を使用したので、運搬しやすい位置の取手１５ａを備えた吹出口グリル１５を共用でき、生産数量の増加等により単価が下がるので、さらに安価に取手を得られる等の効果がある。
【００６４】
実施の形態５．
図１３はこの発明の実施の形態５の空調装置の室外機を示す前面図及び後面図で、図（ａ）は前面図，図（ｂ）は後面図である。なお、実施の形態２，４と同一又は相当部分には同一符号を付し、詳細な説明は省略する。また、記載以外の構造と動作は上記実施の形態２，４と同一である。実施の形態２では送風機４を１個備えた背の低い中形筐体の中形室外機本体１で、別部品の取手７を左前面パネル１ａに勘合固定したものを示した。また、実施の形態４では送風機４を２個備えた背の高い大形筐体の大形室外機本体１の場合で、別部品の取手７を設けずに、室外機本体１の前面に設けた吹出口グリル１５に取手１５ａを一体に形成したものを示したが、背の低い中形筐体の中形室外機本体１で、吹出口グリル１５に取手１５ａを一体に形成してもよい。
【００６５】
この実施の形態では図１３に示すように、１５は送風機４にそれぞれ対応して室外機本体１の前面にネジ締結（図示せず）等により固定設置した吹出口グリルで、樹脂材料等により形成し、送風機４の送風が吹出され、また、使用者が触れないように格子状に形成されたもので、この吹出口グリル１５は上記実施の形態４と全く同一のものを使用している。そして、この実施の形態では左側の運搬者１１が右手で持つ取手１５ａの手掛部１５ｂを、室外機本体１の設置床面から高さ（Ａ寸法）７００ｍｍとし、他の取手８〜１０の手掛部８ａ〜１０ａの室外機本体１の設置床面からの高さ（Ｂ〜Ｄ寸法）を、上記実施の形態４と同様の６２０ｍｍの高さ位置にしている。
【００６６】
従って、４ヶ所の取手１５ａ，８〜１０の室外機本体１の設置床面からの高さを６００ｍｍ以上７００ｍｍ以下の範囲（運搬時に手を掛けやすい所定高さ範囲）にしているので、上述のとおり室外機本体１の運搬作業が行いやすく、また、取手１５ａの高さのみが他の取手８〜１０と異なっているが、中形室外機本体１は大形室外機本体に比べ軽くまた、取手１５ａの側には圧縮機２がないので、比較的に軽く、この部分の取手１５ａの高さ位置が他の取手８〜１０と異なっても、同一高さの実施の形態に比べれば多少運搬作業性が劣るものの、実際の運搬作業にほとんど影響がないわけである。
【００６７】
また、上記実施の形態４のように、大形室外機本体１の下側の吹出口グリル１５と、この実施の形態５のような中形室外機本体１の吹出口グリル１５に運搬用取手１５ａを、運搬時に手を掛けやすい所定の高さ範囲（手掛部１５ｂが各室外機本体１の設置床面から６００ｍｍ以上７００ｍｍ以下）にできるのは、吹出口グリル１５の上部に取手１５ａを形成するからである。これは、吹出口グリル１５の室外機本体１に対する配置高さは、送風機４の配置高さ等に影響されるため、もし、取手１５ａを上部ではなく、吹出口グリル１５の下部に設けたとすると、取手１５ａを運搬時に手を掛けやすい所定の高さ範囲に設けるようにするためには、送風機４や吹出口グリル１５自体を上方へ配置しなければならず、室外機本体１の構成に影響を及ぼすようになるため、あまり良いとは言えなかった。また、この実施の形態４，５のように吹出口グリル１５の上部に取手１５ａを形成するので、大形室外機本体１の上部吹出し口グリル１５にも同じ吹出し口グリルを共用することが可能になるわけである。
【００６８】
また、上記実施の形態４の送風機４を上下２個備えた背の高い大形の大形室外機本体１で使用する吹出口グリル１５をこの背の低い中形筐体の室外機本体１に使用するので、空調装置の室外機にシリーズで、背の高い大形室外機本体１と背の低い中形室外機本体１の少なくとも２種類の外形寸法筐体の室外機本体を備える場合、室外機本体の種類にかかわらず吹出口グリル１５を共用でき、生産数量が増えれば通常１個当たりの単価は下がるため、安価に取手１５ａを得られる効果があり、また、シリーズとしての意匠性も向上できる。
【００６９】
従って、内部に熱交換器３と前方へ送風する送風機４とを備えた少なくとも二人で持ち上げて運搬可能な室外機本体１と、室外機本体１の前後左右四隅の４ヶ所に運搬時手掛け可能な運搬用取手１５ａ，８〜１０と、を設けるとともに、室外機本体１に、上下２個の送風機４の送風がそれぞれ吹き出される上下２個の吹出口グリル１５を前面に備えた大形筐体の大形室外機本体１と、１個の送風機４の送風が吹き出される１個の吹出口グリル１５を前面に備えた中形筐体の中形室外機本体１と、の少なくとも２種類の室外機本体を設け、大形室外機本体１と中形室外機本体１のそれぞれ４ヶ所の運搬用取手の手掛部１５ｂ，８ａ〜１０ａを、大形室外機本体１と中形室外機本体１それぞれの設置床面から運搬時に手を掛けやすい所定高さ範囲に設定するとともに、大形室外機本体１の下方の吹出口グリル１５と中形室外機本体１の吹出口グリルとに、大形室外機本体１と中形室外機本体１のそれぞれ４ヶ所の運搬用取手の少なくとも１ヶ所１５ａを上部に一体に形成した同一形状の吹出口グリル１５を使用したので、大形室外機本体１及び中形室外機本体において、運搬用取手１５ａ，８〜１０が運搬時に手を掛けやすい位置にあり、また、運搬者１１が両手でしっかりと持ち上げられるように運搬用取手１５ａ，８〜１０を４ヶ所に設けているため、確実な運搬と安定した運搬ができ、信頼性の高い運搬が行える。また、取手１５ａ，８〜１０の位置も分かりやすいため、誰でも室外機本体１を見ただけで、簡単に運搬方法を理解して運べる取扱いの容易な室外機本体１を得られる効果がある。また、大形室外機本体１の下方の吹出口グリル１５と中形室外機本体１の吹出口グリルとを共通にできるので、吹出し口グリル１５及び取手１５ａを安価に得られる効果がある。
【００７０】
また、大形室外機本体１の上方の吹出口グリル１５に、運搬用取手１５ａを形成した下方の吹出口グリル１５と同一形状の吹出口グリルを使用すれば、共用化でさらに吹出し口グリル１５及び取手１５ａを安価に得られる効果がある。
【００７１】
また、空調装置の室外機にシリーズ（機種）で、大形室外機本体１と中形室外機本体１の少なくとも２種類の外形寸法筐体の室外機本体を備えて取手１５ａを一体に形成した吹出口グリル１５を共用する場合、まず、上記実施の形態４のように背の高い大形室外機本体１で、図１１に示すように下側の吹出口グリル１５の上部の取手１５ａの位置が他の取手８〜１０と同一高さになり、取手１５ａを最適の位置の６００ｍｍ以上７００ｍｍ以下の範囲（運搬時に手を掛けやすい所定高さ範囲）となるようにして吹出口グリル１５の左上部に形成する。例えば上記実施の形態４では６２０ｍｍにしている。
【００７２】
そして、背の高い大形筐体の大形室外機本体１で最適に作成した吹出口グリル１５を、この実施の形態５のように背の低い中形筐体の中形室外機本体１の送風機４の位置に合わせて配置することで、背の低い中形筐体の室外機本体１の取手１５ａの位置が決まり、この実施の形態では中形室外機本体１の設置床面から手掛部１５ａの高さが例えば丁度７００ｍｍになる位置になる。このようにすると、中形室外機本体１の送風機４の位置が比較的に自由に決められ、中形室外機本体１の筐体の高さを比較的自由に決められるという効果がある。
【００７３】
なお、中形室外機本体１の他の取手８〜１０は大形室外機本体１と同一の高さ６２０ｍｍの位置にしている。このようにしても取手１５ａを吹出口グリル１５の上部に設けているため、また、背の高い大型室外機本体１の吹出口グリル１５の取手１５ａの高さを最適な高さの６００ｍｍ以上７００ｍｍ以下の範囲（運搬時に手を掛けやすい所定高さ範囲）で調整し、背の高い大形室外機本体１を優先させて吹出口グリル１５の取手１５ａの位置を設定して、背の低い中形筐体の室外機本体１に取付けた際、室外機本体１の設置床面からの高さをこの実施の形態のように６００ｍｍ以上７００ｍｍ以下の範囲に設定することが可能である。また、中形室外機本体１の取手１５ａの手掛部１５ｂの高さ位置が他の取手８〜１０と異なっても前記のように、中形室外機本体１の取手１５ａ部分は比較的に室外機本体１が軽いため運搬が行いにくくなることがほとんどない。
【００７４】
したがって、大形室外機本体１の下方の吹出口グリル１５と中形室外機本体１の吹出口グリル１５とに、それぞれ４ヶ所の前記運搬用取手の１ヶ所１５ａを上部に一体に形成し、大形室外機本体１に設けた４ヶ所の運搬用取手１５ａ，８〜１０の手掛部を、大形室外機本体１の設置床面からほぼ同一高さに設定するとともに、中形室外機本体１に設けた４ヶ所の運搬用取手１５ａ，８〜１０の内、吹出口グリル１５に形成した運搬用取手１５ａを除く他の運搬用取手８〜１０の手掛部３ヶ所を、大形室外機本体１の運搬用取手１５ａ，８〜１０の手掛部とほぼ同一高さに設定し、かつ中形室外機本体１の吹出口グリル１５に形成した運搬用取手１５ａの手掛部を、他の運搬用取手１５ａ，８〜１０の手掛部高さと異ならせて中形室外機本体１の吹出口グリル１５を配置したので、取手１５ａを安価に得られるとともに、中形室外機本体１より重い大形室外機本体１は取手１５ａ，８〜１０の位置がほぼ同じで運搬しやすく、また、中形室外機本体１は送風機４の上下位置を比較的自由に設定でき、中形室外機本体１の筐体高さを設定しやすいものが得られる効果もある。また、大形室外機本体１と中形室外機本体１の取手１５ａ以外の取手８〜１０はほぼ同じ高さのため、並べて設置された際に見栄えが良いという効果もある。特に室外機本体の後面は取手９，１０の位置が全てほぼ同じ位置で見栄えがよい。
【００７５】
実施の形態６．
図１４はこの発明の実施の形態６の空調装置の室外機を示す前面図及び後面図で、図（ａ）は前面図，図（ｂ）は後面図である。なお、実施の形態１，４と同一又は相当部分には同一符号を付し、詳細な説明は省略する。また、記載以外の構造及び動作は上記実施の形態１，４と同一である。上記実施の形態４では上下に同一の取手１５ａを備えた吹出口グリル１５を設けたものを示したが、上側の吹出口グリルは取手１５ａを備えていなくてもよい。図１４に示すように下側には運搬用の取手１５ａを備えた吹出口グリル１５を設け、上側には上記実施の形態１と同じような取手１５ａの無い吹出口グリル５を設けている。吹出口グリル１５，５が共用できないため若干吹出口グリル１５，５の価格が上がるが、このようにしても同様に室外機本体１の運搬作業を行いやすくできるものが得られる効果がある。
【００７６】
実施の形態７．
図１５はこの発明の実施の形態７の空調装置の室外機を示す後面側斜視図である。なお、実施の形態１と同一又は相当部分には同一符号を付し、詳細な説明は省略する。また、記載以外の構造及び動作は上記実施の形態と同一である。上記実施の形態１では取手７〜１０を同一の部品で形成したものを示したが、図１５に示すように後面左側パネル１ｃ部分の取手９を室外機本体１の左後方の角部に形成するようにしてもよく、上記実施の形態と同様の効果を得られる。また、このように取手７〜１０，１５ａの位置は室外機本体１のなるべく左右端が良いが、室外機本体１の極端に左右内側位置でなければ、運搬作業に影響はない。
【００７７】
実施の形態８．
図１６〜１８はこの発明の実施の形態８の空調装置の室外機を示す図で、図１６は運搬用取手の拡大斜視図、図１７は室外機の輸送状態を示す側面図、図１８は図１７のＱ−Ｑ線断面図である。なお、上記実施の形態と同一又は相当部分には同一符号を付し、詳細な説明は省略する。また、記載以外の構造及び動作は上記実施の形態と同一である。上記実施の形態では室外機本体１の後面側の取手９，１０は室外機本体１から殆ど出っ張らないものを示したが、図１６に示すように後面左側パネル１ｃ部分の取手９及び後面右側パネル１ｄの取手１０をＲ寸法で示すような高さ寸法があるように設け、所定寸法以上（例えばＲ寸法）室外機本体１の後面から突出するように設けてもよい。図１６において、９，１０は台形形状の取手で、それぞれ手掛部９ａ，１０ａからその内部へと指先挿入部９ｂ，１０ｂを形成し、座面９ｃ，１０ｃ部分を後面左側パネル１ｃ及び後面右側パネル１ｄにネジ締結（図示せず）等により固定して室外機本体１に取付ける。なおＲ寸法はこの実施の形態では一例として３０ｍｍにしているが、これに限定されるものではない。つまり、室外機本体１後面より突出する所定寸法以上とは、少なくとも取手９，１０内に指が入れられるように形成した高さ程度は必要な寸法であり、指の厚さを考慮すると少なくとも２０ｍｍ以上の高さとなる。
【００７８】
そして、室外機本体１は図１７，１８に示すように、シリーズの背の高い大形室外機本体１と背の低い中形室外機本体１が混在して輸送トラックの荷台等に載置されている。また、各室外機本体１の上下部には、室外機本体１をキズや凹み等から保護するための上側梱包材１６及び下側梱包材１７が取り付けられている。そして、各室外機本体１は背中合わせにすると、取手９，１０がそれぞれ相対するようになるため、輸送時のゆれなどにより図１７に示すように一方の室外機本体１が他方の室外機本体１側に寄りかかった際に一方の取手９，１０と他方の取手９，１０同士が先に接触するので、室外機本体１同士がぶつかって、傷つけることが防止される。
【００７９】
なお、取手９，１０の室外機本体１に対する高さ及び幅方向の位置は同一の位置が望ましいが、相対する室外機本体１の取手９，１０の相対する位置で取手同士が接触する位置であれば、多少ずれていても問題はない。また、室外機本体１同士が背中合わせでない場合は、この取手９，１０に隣の室外機本体１の前面側の吹出口グリル１５等が先に接触するので、同様に室外機本体１同士がぶつかって、傷つけることが防止される。
【００８０】
特に、この突出する取手９，１０を設ける室外機本体１の後面側は熱交換器３の変形しやすいフィン（図示せず）が吸気穴６から見えているので、この面を保護できることは効果が大きい。また、室外機本体１の左後面側は熱交換器３が配置されるため、このように取手９を室外機本体１の後面左側パネル１ｃから出っ張らせて構成すると、熱交換器３と取手９とが干渉しないように、取手９をよけて熱交換器３の位置を決める必要がなく、熱交換器３の配置設計を容易にできる効果もある。
【００８１】
したがって、４ヶ所の運搬用取手の内、後左右２ヶ所の運搬用取手９，１０を、室外機本体１の後面から所定寸法以上（２０ｍｍ以上）突出させて設けたので、室外機本体１の輸送時等で、他の室外機本体等が接触してきた際に、取手９，１０に先に接触し、室外機本体１の破損を防止できる効果がある。
【００８２】
なお、この実施の形態では室外機本体１の後面の取手９，１０について突出するようにしたものを示したが、室外機本体１の前面側の取手７，８も同様に突出するように設けてもよく、同様に室外機本体の前面側の傷つきを防止できるものが得られる効果がある。
【００８３】
なお、上記実施の形態では、圧縮機２が右側に配置され、送風機４及び吹出口グリル５，１５が左側に配置された室外機本体１を示したが、圧縮機２が左側で吹出口グリル５，１５が右側に配置されてもよい。その場合は室外機本体１の構成を左右対象にして、吹出口グリル１５の取手１５ａを、上記実施の形態４等の左上部の位置とは逆に、右上部に設けるようにすればよく、上記実施の形態と同様の効果を奏する。
【００８４】
また、上記実施の形態４，５では吹出口グリル１５の左側に取手７に替えて取手１５ａを１ヶ所に設けたものを示したが、図示しないが、例えば吹出口グリル１５を室外機本体１の全幅に近く広く設けて、右側にも取手８の替わりに一体に形成した取手を設けることが可能である。なお、この場合は圧縮機２の重量を考慮し、樹脂を厚肉に成形するなどで十分な強度にするとよい。
【００８５】
また、上記実施の形態では空調装置の室外機について説明したが、冷凍装置の室外機も構造は基本的に似通っており、冷凍装置の室外機に上記実施の形態と同様の構成の運搬用取手７〜１０，１５ａを備えれば同様の効果が得られる。
【００８６】
【発明の効果】
本発明の請求項１に係わる冷凍・空調装置の室外機は、内部に熱交換器と前方へ送風する送風機とを備えた少なくとも二人で持ち上げて運搬可能な室外機本体と、前記室外機本体の前後左右四隅の４ヶ所に運搬時手掛け可能な運搬用取手と、を設けるとともに、４ヶ所の前記運搬用取手の手掛部を、前記室外機本体の設置床面から６００ｍｍ以上７００ｍｍ以下の高さに設定したので、確実な運搬と安定した運搬ができ、信頼性の高い運搬が行える。また、運搬用取手の位置が分かりやすく、室外機本体を見ただけで、簡単に運搬方法を理解して運べる取扱いの容易な室外機本体を得られる効果がある。
【００８７】
また、本発明の請求項２に係わる冷凍・空調装置の室外機は、前後それぞれ２ヶ所の前記運搬用取手の手掛部を、前記室外機本体の設置床面からほぼ同一高さにしたので、各運搬者の手を掛ける運搬用取手の高さ位置が両腕で同じになり、バランスが良く運搬しやすい室外機本体を得られる効果がある。
【００８８】
また、本発明の請求項３に係わる冷凍・空調装置の室外機は、４ヶ所の前記運搬用取手の手掛部を、前記室外機本体の設置床面からほぼ同一高さにしたので、運搬時のバランスがさらに良く、運搬しやすい室外機本体を得られる効果がある。
【００８９】
また、本発明の請求項４に係わる冷凍・空調装置の室外機は、前記室外機本体の前面に前記送風機の送風が吹き出される吹出口グリルを備え、４ヶ所の前記運搬用取手の少なくとも１ヶ所を前記吹出口グリルの上部に一体に形成したので、運搬しやすい位置の運搬用取手を安価に得られる効果がある。
【００９０】
また、本発明の請求項５に係わる冷凍・空調装置の室外機は、前記室外機本体を、上下２個の前記送風機の送風がそれぞれ吹き出される上下２個の吹出口グリルを前面に備えた大形筐体の大形室外機本体とするとともに、４ヶ所の前記運搬用取手の少なくとも１ヶ所を下方の吹出口グリルの上部に一体に形成し、かつ上方の吹出口グリルに、前記下方の吹出口グリルと同一形状の吹出口グリルを使用したので、運搬しやすい位置の運搬用取手を備えた吹出口グリルを共通にでき、さらに安価に運搬用取手を得られる効果がある。
【００９１】
また、本発明の請求項６に係わる冷凍・空調装置の室外機は、内部に熱交換器と前方へ送風する送風機とを備えた少なくとも二人で持ち上げて運搬可能な室外機本体と、前記室外機本体の前後左右四隅の４ヶ所に運搬時手掛け可能な運搬用取手と、を設けるとともに、前記室外機本体に、上下２個の前記送風機の送風がそれぞれ吹き出される上下２個の吹出口グリルを前面に備えた大形筐体の大形室外機本体と、１個の前記送風機の送風が吹き出される１個の吹出口グリルを前面に備えた中形筐体の中形室外機本体と、の少なくとも２種類の室外機本体を設け、前記大形室外機本体と前記中形室外機本体のそれぞれ４ヶ所の前記運搬用取手の手掛部を、前記大形室外機本体と中形室外機本体それぞれの設置床面から運搬時に手を掛けやすい所定高さ範囲に設定するとともに、前記大形室外機本体の下方の吹出口グリルと前記中形室外機本体の吹出口グリルとに、前記大形室外機本体と前記中形室外機本体のそれぞれ４ヶ所の前記運搬用取手の少なくとも１ヶ所を上部に一体に形成した同一形状の吹出口グリルを使用したので、大形室外機本体及び中形室外機本体において、確実な運搬と安定した運搬ができ、信頼性の高い運搬が行える。また、運搬用取手の位置が分かりやすく、室外機本体を見ただけで、簡単に運搬方法を理解して運べる取扱いの容易な室外機本体を得られる効果があり、また、吹出口グリルを共通にでき吹出口グリル及び運搬用取手を安価に得られる効果がある。
【００９２】
また、本発明の請求項７に係わる冷凍・空調装置の室外機は、前記大形室外機本体の下方の吹出口グリルと前記中形室外機本体の吹出口グリルとに、それぞれ４ヶ所の前記運搬用取手の１ヶ所を上部に一体に形成し、前記大形室外機本体に設けた４ヶ所の前記運搬用取手の手掛部を、前記大形室外機本体の設置床面からほぼ同一高さに設定するとともに、前記中形室外機本体に設けた４ヶ所の前記運搬用取手の内、前記吹出口グリルに形成した運搬用取手を除く他の運搬用取手の手掛部３ヶ所を、前記大形室外機本体の前記運搬用取手の手掛部とほぼ同一高さに設定し、かつ前記中形室外機本体の前記吹出口グリルに形成した前記運搬用取手の手掛部を、他の前記運搬用取手の手掛部高さと異ならせて前記中形室外機本体の前記吹出口グリルを配置したので、吹出口グリルを共通にして吹出口グリル及び運搬用取手を安価に得られるとともに、中形室外機本体より重い大形室外機本体は運搬用取手の位置がほぼ同じで運搬しやすく、また、中形室外機本体は送風機の上下位置を比較的自由に設定でき、中形室外機本体の筐体高さを自由に設定しやすいものが得られる効果がある。
【００９３】
また、本発明の請求項８に係わる冷凍・空調装置の室外機は、前記大形室外機本体の上方の吹出口グリルに、前記運搬用取手を形成した前記下方の吹出口グリルと同一形状の吹出口グリルを使用したので、運搬しやすい位置の運搬用取手を備えた吹出口グリルを共通にでき、さらに安価に運搬用取手を得られる効果がある。
【００９４】
また、本発明の請求項９に係わる冷凍・空調装置の室外機は、４ヶ所の前記運搬用取手の内、後左右２ヶ所の運搬用取手を、前記室外機本体の後面から所定寸法以上突出させて設けたので、室外機本体の輸送時等で、他の室外機本体等が接触してきた際に、運搬用取手に先に接触し、室外機本体の破損を防止できる効果がある。
【図面の簡単な説明】
【図１】本発明の実施の形態１を示す空調装置の室外機の斜視図で、図（ａ）は前面側の斜視図，図（ｂ）は後面側の斜視図である。
【図２】本発明の実施の形態１を示す空調装置の室外機の３面図で、図（ａ）は前面図，図（ｂ）は（ａ）のＨ−Ｈ線断面図，図（ｃ）は後面図である。
【図３】本発明の実施の形態１を示す空調装置の室外機の運搬状態を説明する説明図である。
【図４】本発明の実施の形態１を示す運搬用取手の拡大斜視図である。
【図５】本発明の実施の形態１を示す人の身長と地上からの手の高さを示す説明図で、（ａ）は人の側面図，（ｂ）は身長と地上からの手の高さを調査した例の説明図である。
【図６】本発明の実施の形態１を示す送風機２個使用の空調装置の大形室外機本体の最適取手位置の調査要領説明図で、（ａ）は室外機本体の正面図，（ｂ）はア者〜カ者の調査結果の説明図である。
【図７】本発明の実施の形態２を示す空調装置の室外機の３面図で、図（ａ）は前面図，図（ｂ）は（ａ）のＭ−Ｍ線断面図，（ｃ）後面図である。
【図８】本発明の実施の形態２を示す送風機１個使用の空調装置の中形室外機本体の最適取手位置の調査要領説明図で、（ａ）は室外機本体の正面図，（ｂ）はア者〜カ者の調査結果の説明図である。
【図９】本発明の実施の形態２の運搬しやすい運搬用取手高さの説明図である。
【図１０】本発明の実施の形態３を示す空調装置の室外機の前面図及び後面図で、（ａ）前面図，（ｂ）は後面図である。
【図１１】本発明の実施の形態４を示す空調装置の室外機の前面図及び後面図で、（ａ）は前面図，（ｂ）は後面図である。
【図１２】本発明の実施の形態４を示す図１１の空調装置の室外機に使用する吹出口グリルの図で、図（ａ）は斜視図，図（ｂ）は図（ａ）のＰ−Ｐ線断面図である。
【図１３】本発明の実施の形態５を示す空調装置の室外機の前面図及び後面図で、図（ａ）は前面図，図（ｂ）は後面図である。
【図１４】本発明の実施の形態６を示す空調装置の室外機の前面図及び後面図で、図（ａ）は前面図，図（ｂ）は後面図である。
【図１５】本発明の実施の形態７を示す空調装置の室外機の後面側斜視図である。
【図１６】本発明の実施の形態８を示す運搬用取手の拡大斜視図である。
【図１７】本発明の実施の形態８を示す空調装置の室外機の輸送状態を示す側面図である。
【図１８】本発明の実施の形態８を示す図１７のＱ−Ｑ線断面図である。
【図１９】従来の空気調和機の室外機を示す斜視図である。
【符号の説明】
１　室外機本体（大形室外機本体，中形室外機本体）、１ａ　前面左側パネル、１ｂ　前面右側パネル、１ｃ　後面左側パネル、１ｄ　後面右側パネル、１ｅ　機械室、１ｆ　足部、２　圧縮機、３　熱交換器、４　送風機、５　吹出口グリル、６　吸気穴、７　取手（運搬用取手）、７ａ　手掛部、７ｂ　指先挿入部、８　取手（運搬用取手）、８ａ　手掛部、８ｂ　指先挿入部、９　取手（運搬用取手）、９ａ　手掛部、９ｂ　指先挿入部、９ｃ　座面、１０　取手（運搬用取手）、１０ａ　手掛部、１０ｂ　指先挿入部、１０ｃ　座面、１１　運搬者、１５　吹出口グリル、１５ａ　取手（運搬用取手）、１５ｂ　手掛部、１５ｃ　指先挿入部、１５ｄ　縦リブ、１５ｅ　横リブ、１６　上側梱包材、１７　下側梱包材、１０１　室外機本体、１０１ａ　側板パネル、１０１ｂ　前面パネル、１０３　熱交換器、１０６　取手勘合孔、１０７　取手、１０８　固定取手。
【図１】
2004085155.tif 000003
【図２】
2004085155.tif 000004
【図３】
2004085155.tif 000005
【図４】
2004085155.tif 000006
【図５】
2004085155.tif 000007
【図６】
2004085155.tif 000008
【図７】
2004085155.tif 000009
【図８】
2004085155.tif 000010
【図９】
2004085155.tif 000011
【図１０】
2004085155.tif 000012
【図１１】
2004085155.tif 000013
【図１２】
2004085155.tif 000014
【図１３】
2004085155.tif 000015
【図１４】
2004085155.tif 000016
【図１５】
2004085155.tif 000017
【図１６】
2004085155.tif 000018
【図１７】
2004085155.tif 000019
【図１８】
2004085155.tif 000020
【図１９】
2004085155.tif 000021